(57)【要約】【課題】  白圧板にキズ等の欠陥部があっても良好な画像読み取りを行うことができる画像読取装置を提供すること。【解決手段】  コンタクトガラス１上に原稿を搬送する各搬送ローラ３、４、１６、１７と、コンタクトガラス１上において垂直方向に原稿の位置を規制する白圧板２の白圧板本体２１と、各搬送ローラ３、４、１６、１７により搬送される原稿を読み取る読取部５と、読取部５に対する白圧板本体２１の位置を固定するとともに、白圧板本体２１の位置を読取部５の副走査方向に変更する長穴２２ａ及び止めネジ２４とを備えた。【選択図】  図１
2006254085.tif 000002
【特許請求の範囲】
【請求項１】
コンタクトガラス上に原稿を搬送する搬送手段と、
前記コンタクトガラス上において垂直方向に前記原稿の位置を規制する白圧板と、
前記搬送手段により搬送される原稿を読み取る読取手段と、
前記読取手段に対する前記白圧板の位置を固定するとともに、前記白圧板の位置を前記読取手段の副走査方向に変更する変更手段とを備えたことを特徴とする画像読取装置。
【請求項２】
前記変更手段は、前記読取手段と前記白圧板の一方に設けられ前記読取手段の副走査方向に延在する固定穴と、前記読取手段と前記白圧板の他方に設けられ前記読取手段と前記白圧板とを固定する固定ネジを有することを特徴とする請求項１に記載の画像読取装置。
【請求項３】
コンタクトガラス上に原稿を搬送する搬送手段と、
前記コンタクトガラス上において垂直方向に前記原稿の位置を規制する白圧板と、
前記搬送手段により搬送される原稿を読み取る読取手段と、
前記読取手段に対する前記白圧板の位置を、前記読取手段の副走査方向に移動する移動手段と、
前記移動手段の駆動を制御する制御手段と、
前記白圧板の移動に関する指示を前記制御手段に入力する操作手段とを備えたことを特徴とする画像読取装置。
【発明の詳細な説明】
【技術分野】
【０００１】
本発明は、画像読取装置に関し、特に、白圧板を読み取ってシェーディング補正を行う画像読み取りに関する。
【背景技術】
【０００２】
従来、読取部により原稿画像を読み取る際には、画像データ処理等のために予め白基準データの読み取りが行われている。例えば、読取部における原稿読取位置に対向して原稿を搬送する白圧板から、複数の受光素子によって白基準データを読み取っている（例えば、特許文献１参照。）。
【０００３】
【特許文献１】特開２００２−１００４０号公報
【発明の開示】
【発明が解決しようとする課題】
【０００４】
しかしながら、従来の技術では、複数の受光素子による白圧板からの白基準データの読み取りにおいて、白圧板表面に微細なキズや塗装ムラが等があると、白基準の設定に悪影響を与える。
【０００５】
白圧板における微細なキズや塗装ムラを無視してその白基準データを用いると、微細なキズや塗装ムラ等によって生じる黒い部分を白くする補正処理によって、読み取った原稿画像データからの再生時に、微細なキズや塗装ムラ等の部分に対応する画像部分が薄くなるという問題がある。従って、微細なキズや塗装ムラ等のある白圧板は、信頼性の面から白基準データ検出のために用いることができない。
【０００６】
特に、Ａ１サイズ用紙の長辺より大きい幅を有する圧板の表面処理は従来は基本的に白色塗装であるが、表面塗装の精度を必要とするために歩留まりが悪くコスト高になっていた。
【０００７】
本発明は、このような問題を解決するためになされたもので、読取部の読取位置に白圧板の微細なキズや塗装ムラが位置しないように、白圧板の取り付け位置を読取部の副走査方向に調整可能にすることにより、白圧板に微細なキズや塗装ムラがあっても良好な読み取りができる画像読取装置を提供することを目的とする。
【課題を解決するための手段】
【０００８】
本発明の画像読取装置は、コンタクトガラス上に原稿を搬送する搬送手段と、前記コンタクトガラス上において垂直方向に前記原稿の位置を規制する白圧板と、前記搬送手段により搬送される原稿を読み取る読取手段と、前記読取手段に対する前記白圧板の位置を固定するとともに、前記白圧板の位置を前記読取手段の副走査方向に変更する変更手段とを備えたことを特徴としている。
【０００９】
この構成により、読取手段の真上に白圧板の微細なキズや塗装ムラ等の欠陥部が位置しないように白圧板の取り付け位置を副走査方向に調整可能にすることにより、白圧板に欠陥部があっても良好な画像読み取りを行うことができる。また、欠陥部がある白圧板であっても取り付け位置を移動すれば良好な画像読み取りを行うことができるので、白圧板の製造時の歩留まりを向上することができる。
【００１０】
また、本発明の画像読取装置は、前記変更手段は、前記読取手段と前記白圧板の一方に設けられ前記読取手段の副走査方向に延在する固定穴と、前記読取手段と前記白圧板の他方に設けられ前記読取手段と前記白圧板とを固定する固定ネジを有することを特徴としている。
【００１１】
この構成により、固定穴における固定ネジの固定位置を変更するだけで、白圧板の取り付け位置を簡単に変更することができる。
【００１２】
また、本発明の画像読取装置は、コンタクトガラス上に原稿を搬送する搬送手段と、前記コンタクトガラス上において垂直方向に前記原稿の位置を規制する白圧板と、前記搬送手段により搬送される原稿を読み取る読取手段と、前記読取手段に対する前記白圧板の位置を、前記読取手段の副走査方向に移動する移動手段と、前記移動手段の駆動を制御する制御手段と、前記白圧板の移動に関する指示を前記制御手段に入力する操作手段とを備えることを特徴としている。
【００１３】
この構成により、白圧板の位置を操作部からの入力により調整可能にしているので、ドライバー等の工具を使わずに調整ができ、調整時間の短縮をすることができる。
【発明の効果】
【００１４】
本発明によれば、白圧板にキズ等の欠陥部があっても良好な画像読み取りを行うことができる画像読取装置を提供することができる。
【発明を実施するための最良の形態】
【００１５】
以下、本発明の好ましい実施の形態について、添付図面を参照して説明する。
（第１の実施の形態）
図１は第１の実施の形態の画像読取装置の内部構成を示す側面図である。第１の実施の形態の画像読取装置８０は、コンタクトガラス１、白圧板２、第１搬送ローラ３、第１加圧ローラ４、読取部５、レジストセンサ８、原稿挿入センサ９、第２搬送ローラ１６、第２加圧ローラ１７及び制御部４８を備えている。
【００１６】
コンタクトガラス１は、読取部５と白圧板２の間に配設される。原稿の画像読み取り時には、コンタクトガラス１の所定の位置に原稿が載置される。コンタクトガラス１と白圧板２との間の空隙は、原稿が搬送される搬送経路を構成している。
【００１７】
白圧板２は、コンタクトガラス１上における原稿の上下方向（垂直方向）の動きを規制するガイド部材を兼ねるとともに、その一部にシェーディング補正用の基準白部が設けられ、この基準白部が画像読取位置に配置される。ここで、画像読取位置とは、コンタクトガラス１上における読取部５の直上の位置のことである。また、シェーディング補正とは、基準白部を元にして、読取部５内の各受光素子、レンズ、ＬＥＤの光量のばらつき等を補正することである。また、白圧板２は、原稿をコンタクトガラス１上の所定の読取位置にガイドするよう、コンタクトガラス１の読取部５が存在しない側に、コンタクトガラス１との間に所定の空隙を有し配置される。白圧板２の材質としては金属等の材料を用いている。
【００１８】
第１搬送ローラ３および第１加圧ローラ４は給紙側、即ち原稿搬送方向上流に設けられ、原稿を読取位置に搬入するものである。なお、第１加圧ローラ４は第１搬送ローラ３に伴って従動する。
【００１９】
また、第２搬送ローラ１６および第２加圧ローラ１７は排紙側、即ち原稿搬送方向下流に設けられ、読取位置で読み取られた原稿を搬出するものである。
【００２０】
読取部５は、原稿を読み取って画像データ（電気信号）に変換するものである。
【００２１】
レジストセンサ８は、原稿の先端を検知するものであり、第１搬送ローラ３の原稿搬送方向下流側の所定位置に設けられている。また、レジストセンサ８の原稿先端検知信号によって読取部５における原稿画像読取開始タイミングを決定している。
【００２２】
原稿挿入センサ９は、搬送経路入口への原稿の挿入を検知するものであり、第１搬送ローラ３の原稿搬送方向上流側に設けられている。原稿挿入センサ９が原稿を検知すると、検知された原稿は、第１搬送ローラ３および第１加圧ローラ４によりコンタクトガラス１上の読取位置に搬送される。
【００２３】
制御部４８は、読取部５、第１搬送ローラ３、第２搬送ローラ１６の動作制御および画像読取装置８０全体の制御を行うものである。また、制御部４８には、レジストセンサ８、原稿挿入センサ９からの検知信号も入力される。
【００２４】
図２、図４は白圧板２の詳細な構成を示す斜視図である。また、図３、図５は白圧板２の側面を示す側面図である。
【００２５】
図に示すように、白圧板２は、３つの部材から構成されている。すなわち、白圧板２は、白圧板本体２１と、白圧板本体２１の走査方向の一方の端部に取り付けられる調整板２２と、白圧板本体２１の走査方向の他方の端部に取り付けられる調整板２３とから構成されている。
【００２６】
また、白圧板本体２１のコンタクトガラス１側の面は白色塗装を塗布することにより表面処理をしている。
【００２７】
調整板２２、２３は白圧板本体２１に対しそれぞれ２本の止めネジ２４で固定されるようになっている。調整板２２、２３には、止めネジ２４を通す２つの長穴２２ａがそれぞれ設けられている。長穴２２ａは、副走査方向に延在する楕円形の形状を有しており、止めネジ２４を緩めることで調整板２２、２３と白圧板本体２１との位置関係、即ち読取部５と白圧板本体２１との相対的な位置関係を図３に示すように副走査方向に調整することができるようになっている。
【００２８】
また、図４に示すように、調整板２２、２３は、図示しない上カバーに設けられた取り付け支点凸部５０、５１が挿通される穴２２ｂ、２３を有している。従って、白圧板２は、白圧板２の上部に位置する図示しない上カバーに吊り下げられた状態となる。
【００２９】
図５は、白圧板２の塗装面にキズ又は凸部等の欠陥部７１があり、欠陥部７１が読取部５の読取位置にあった場合、止めネジ２４を緩めて白圧板本体２１を副走査方向にずらすことにより、欠陥部７１が読取部５の読取位置（読取部５の直上部）に位置しないようにする場合を説明するものである。図５（ａ）では、欠陥部７１が読取部５の読取位置に位置しているが、止めネジ２４を緩めて白圧板本体２１を右側に所定長Ｌだけ移動することにより、図５（ｂ）に示すように欠陥部７１を読取部５の読取位置から外すことができる。
【００３０】
図６（ａ）、（ｂ）は白基準データの出力波形を、図６（ｃ）は出力画像を示すものである。図６（ａ）、（ｂ）において、各グラフの横軸は、読取部５内の主走査方向に並べられた図示しない複数の受光素子の各ビットである。また、縦軸は、各ビットの出力値（電流値）であり、白を読み取った場合に高くなり、黒の場合には低くなる。
【００３１】
白圧板２に欠陥部７１等が無く正常な場合は、図６（ｂ）に示すように上下に変化の無い平らな波形となるが、図７（ａ）、（ｂ）に示すように白圧板２の塗装面に欠陥がある場合、図６（ａ）に示すように、欠陥部７１に相等する位置の受光素子の出力は、矢印Ａで示すように他の正常な部分と比較して極めて低い値となり、その出力画像は、図６（ｃ）に示すように欠陥部７１に相等する位置に白スジが発生したものとなる。
【００３２】
次に、第１の実施の形態の画像読取装置８０の動作を図８のフローチャートを参照して説明する。なお、これらの動作は、制御部４８の制御により実行される。
【００３３】
まず、原稿がセットされると（ステップＳ２１）、原稿挿入センサ９がこの原稿を検知したか否かを判別し（ステップＳ２２）、この判別が“ＹＥＳ”の場合は、読取部５は白基準データを読み取る（ステップＳ２３）。一方、判別が“ＮＯ”の場合は、ステップＳ２１に戻る。
【００３４】
次いで、第１搬送ローラ３および第１加圧ローラ４により原稿搬送を行って（ステップＳ２４）、レジストセンサ８が原稿を検知したか否かを判別する（ステップＳ２５）。この判別が“ＹＥＳ”の場合は、読取部５は原稿の読み取りを開始して（ステップＳ２６）、原稿の読み取りが終了（ステップＳ２７）すると、第２搬送ローラ１６および第２加圧ローラ１７は原稿を排紙する（ステップＳ２８）。
【００３５】
このように、本実施の形態では、読取部５の真上に白圧板２の微細なキズや塗装ムラ等の欠陥部７１が位置しないように白圧板２の白圧板本体２１の取り付け位置を副走査方向に調整可能にすることにより、白圧板２に欠陥部７１があっても良好な画像読み取りを行うことができる。また、欠陥部７１がある白圧板２であっても取り付け位置を移動すれば良好な画像読み取りを行うことができるので、白圧板２の製造時の歩留まりを向上することができる。
【００３６】
また、本実施の形態では、長穴２２ａにおける止めネジ２４の固定位置を変更するだけで、白圧板本体２１の取り付け位置を簡単に変更することができる。
（第２の実施の形態）
図９は第２の実施の形態の画像読取装置の内部構成を示す斜視図である。なお、第２の実施の形態の画像読取装置は、第１の実施の形態の画像読取装置の白圧板２に代えて、キー入力操作等により副走査方向に移動する白圧板２ａを備えるものである。また、第１の実施の形態と同様の構成については説明を省略する。
【００３７】
図９において、画像読取装置９０の白圧板２ａが備える白圧板本体４６の両端の側面には調整板４７が段付きネジ４５で止められており、調整板４７に対し白圧板本体４６が副走査方向に滑動可能になっている。また、白圧板本体４６の両端の側面には、中央部にラック４２が固定された軸４３の端部が挿通される穴４６ａが形成されている。軸４３の両端部にはギヤ４４が圧入され、ギヤ４４は、調整板４７のギヤ溝部４７ａと噛み合っている。
【００３８】
ラック４２は、回転軸にピニオン４１を圧入したモータ４０により回転されるようになっている。
【００３９】
モータ４０は図示しない固定部材に取り付けられており、入力キー等を有する操作部４９から入力された指示に基いて制御部４８により駆動されるようになっている。
【００４０】
即ち、本実施の形態では、操作部４９のキー操作によりモータ４０が駆動されると、ピニオン４１、ラック４２及び軸４３を介して駆動力が伝達され、軸４３の両端のギヤ４４により調整板４７が副走査方向に左右で等距離移動する。換言すると、白圧板本体４６は、取り付け支点凸部５０、５１により図示しない上カバーに取り付けられた調整板４７に対して相対的に移動することになる。結果として、白圧板本体４６は読取部５（図１参照）に対して副走査方向に相対的に移動する。
【００４１】
また、画像読取装置９０は、画像の読み取りに関しては、図８に示したように第１の実施の形態の画像読取装置８０と同様の動作を行う。
【００４２】
このように、本実施の形態では、白圧板本体４６の取付位置を操作部４９のキー入力により調整可能にしているので、ドライバー等の工具を使わずに調整ができ、調整時間の短縮をすることができる。
【産業上の利用可能性】
【００４３】
以上のように、本発明に係る画像読取装置は、白圧板にキズ等の欠陥部があっても良好な画像読み取りを行うことができるという効果を有し、白圧板を読み取ってシェーディング補正をする画像読取装置として有用である。
【図面の簡単な説明】
【００４４】
【図１】本発明の第１の実施の形態の原稿読取装置の内部構成を示す側面図
【図２】第１の実施の形態の原稿読取装置の白圧板の構成を示す斜視図
【図３】第１の実施の形態の原稿読取装置の白圧板の構成を示す側面図
【図４】第１の実施の形態の原稿読取装置の白圧板の構成を示す斜視図
【図５】（ａ）第１の実施の形態の原稿読取装置の白圧板の調整前の状態を示す側面図  （ａ）第１の実施の形態の原稿読取装置の白圧板の調整後の状態を示す側面図
【図６】（ａ）第１の実施の形態の原稿読取装置の白基準データの出力波形を示す図  （ｂ）第１の実施の形態の原稿読取装置の白基準データの出力波形を示す図  （ｃ）第１の実施の形態の原稿読取装置の白基準データの出力画像を示す図
【図７】（ａ）第１の実施の形態の原稿読取装置の白圧板の欠陥部を示す底面図  （ｂ）第１の実施の形態の原稿読取装置の白圧板の欠陥部を示す側面図
【図８】第１の実施の形態の原稿読取装置の動作を説明するフローチャート
【図９】第２の実施の形態の原稿読取装置の白圧板の構成を示す斜視図
【符号の説明】
【００４５】
１  コンタクトガラス
２、２ａ  白圧板
３  第１搬送ローラ（搬送手段）
４  第１加圧ローラ（搬送手段）
５  読取部（読取手段）
８  レジストセンサ
９  原稿挿入センサ
１６  第２搬送ローラ（搬送手段）
１７  第２加圧ローラ（搬送手段）
２１  白圧板本体（白圧板）
２２、２３  調整板（変更手段）
２２ａ  長穴（固定穴）
２４  止めネジ（固定ネジ）
４０  モータ（移動手段）
４１  ピニオン（移動手段）
４２  ラック（移動手段）
４３  軸（移動手段）
４４  ギヤ（移動手段）
４５  段付きネジ
４６  白圧板本体
４７  調整板
４８  制御部（制御手段）
４９  操作部（操作手段）
７１  欠陥部
８０、９０  画像読取装置
【図１】
2006254085.tif 000003
【図２】
2006254085.tif 000004
【図３】
2006254085.tif 000005
【図４】
2006254085.tif 000006
【図５】
2006254085.tif 000007
【図６】
2006254085.tif 000008
【図７】
2006254085.tif 000009
【図８】
2006254085.tif 000010
【図９】
2006254085.tif 000011